(57)【要約】【課題】蓋体の開放時に、該蓋体が大きく立ち上がって場所を取ったり、塵芥の掃き込み状態を確認する際の邪魔になることがなく、また、開閉時の衝撃音も発生しにくい蓋付き塵取りを得る。【解決手段】柄１の下端部に二股状の連結アーム２を介して回動自在に連結された集塵箱３と、上記柄１と集塵箱３との回動に連動して該集塵箱３の前面の開口部４を開閉する蓋体５とを含み、該蓋体５は、集塵箱３の上面に取り付けられた緩衝性の支持部材１１に内面を支持された状態でスライド式に開閉自在であると共に、該支持部材１１を支点として閉蓋位置と開蓋位置とで姿勢を変え、閉蓋位置では傾斜する開口部４を覆い、開蓋位置では集塵箱３の上部に位置して横向き姿勢をとるように構成される。【選択図】　　　　図５
2004065591.tif 000002
【特許請求の範囲】
【請求項１】
把手を上端に備えた柄と、該柄の下端部に連結アームを介して回動自在に連結され、前面に塵芥掃き込み用の開口部を備えた集塵箱と、上記柄と集塵箱との回動に連動して上記開口部を開閉する蓋体とを含み、
上記集塵箱の開口部は、底辺側が上辺側より前方に突出するように傾斜し、また、該集塵箱の上面の上記開口部の上辺に沿う位置には、上記蓋体の内面に摺動自在に接触する緩衝性の支持部材が設けられ、
上記蓋体は、上記連結アームに連結されていて、上記支持部材に内面を支持された状態でスライド式に開閉自在であると共に、該支持部材を支点として閉蓋位置と開蓋位置とで姿勢を変え、上記閉蓋位置では傾斜する開口部を覆い、開蓋位置では集塵箱の上部に位置して横向き姿勢をとるように構成されている、
ことを特徴とする蓋付き塵取り。
【請求項２】
上記連結アームが二股状をしていて、集塵箱の両側面に基端を回動自在に連結されて先端が上記開口部の前面方向に延びる左右一対のサイド部片と、各サイド部片の先端から上記開口部の前面を横切る方向に延びて上記柄の先端に接続された取付部片とを有し、上記閉蓋位置と開蓋位置との間を回動自在であると共に、閉蓋位置では、上記取付部片が開口部の口縁の上記底辺寄りの位置に当接し、開蓋位置では、該取付部片が開口部の口縁の上記上辺寄りの位置に当接するように構成され、
上記蓋体は、先端寄りの位置で上記連結アームの取付部片に連結され、閉蓋位置にあるときは、上記支持部材が該蓋体内面の後端部寄りの位置に当接し、開蓋位置にあるときは、上記支持部材が蓋体内面の上記取付部片との連結位置に近接する位置に当接するように構成されている、
ことを特徴とする請求項１に記載の蓋付き塵取り。
【請求項３】
上記連結アームの取付部片が、開口部の口縁に当接する部分に、軟質素材からなる緩衝部材を備えていることを特徴とする請求項１又は２に記載の蓋付き塵取り。
【請求項４】
上記把手が、柄の上端から二股状に分岐する一対の支持部片と、これらの支持部片の先端同士を連結する握持用のグリップ部片とからなっていて、該グリップ部片の中央部に、フックに吊り欠けるための係合用凹部を有することを特徴とする請求項１から３までの何れかに記載の蓋付き塵取り。
【発明の詳細な説明】
【０００１】
【産業上の利用分野】
本発明は、蓋付き塵取りに関するものである。
【０００２】
【従来の技術】
例えば、塵芥掃き込み用の開口部を前面に備えた集塵箱と、この集塵箱の開口部を開閉する蓋体と、上記集塵箱に回動自在に連結された柄とを備えた蓋付き塵取りは、従来より公知である。このような蓋付き塵取りは、通常、清掃時に上記集塵箱を地面に横向きに接地させると、上記蓋体が開放して塵芥を掃き込むことができ、柄で上記集塵箱を持ち上げて宙吊り状態にすると、上記蓋体が開口部を閉じるようになっている。
【０００３】
このような蓋付き塵取りは、機能的で使用には非常に便利であるが、従来の塵取りは、蓋体の後端部（上端部）が開口部の上辺に回動自在に軸支されていて、該後端部を中心に回動することによって先端部が上方に跳ね上がって開口部を開閉するようになっているため、開放時に蓋体が大きく立ち上がって場所を取るだけでなく、開放した蓋体が邪魔になって塵芥の掃き込み状態を確認しにくいという欠点があった。また、蓋体が閉まるときに集塵箱の開口部に衝突し、衝撃音が発生し易いという欠点もあった。
【０００４】
【発明が解決しようとする課題】
本発明の技術的課題は、蓋体の開放時に、該蓋体が大きく立ち上がって場所を取ったり、塵芥の掃き込み状態を確認する際の邪魔になることがなく、また、開閉時の衝撃音も発生しにくい蓋付き塵取りを提供することにある。
【０００５】
【課題を解決するための手段】
上記課題を解決するため本発明の蓋付き塵取りは、把手を上端に備えた柄と、該柄の下端部に連結アームを介して回動自在に連結され、前面に塵芥掃き込み用の開口部を備えた集塵箱と、上記柄と集塵箱との回動に連動して上記開口部を開閉する蓋体とを含み、上記集塵箱の開口部は、底辺側が上辺側より前方に突出するように傾斜し、また、該集塵箱の上面の上記開口部の上辺に沿う位置には、上記蓋体の内面に摺動自在に接触する緩衝性の支持部材が設けられ、上記蓋体は、上記連結アームに連結されていて、上記支持部材に内面を支持された状態でスライド式に開閉自在であると共に、該支持部材を支点として閉蓋位置と開蓋位置とで姿勢を変え、上記閉蓋位置では傾斜する開口部を覆い、開蓋位置では集塵箱の上部に位置して横向き姿勢をとるように構成されていることを特徴とするものである。
【０００６】
上記構成を有する塵取りは、柄を持って上記集塵箱を宙吊りにした状態から地面に横向きに接地させると、上記蓋体が、柄に対する集塵箱の回動と共に上記支持部材を支点として後方にスライドし、徐々に横向きに姿勢を変えながら開口部を開放していき、開蓋位置では、集塵箱の上部に載置した状態で横向き姿勢となる。そしてこの状態で、上記開口部を通じて塵芥を掃き込むことができるが、このとき上記蓋体は、集塵箱の上部に横向き姿勢で載置状態となっているため、該蓋体が塵芥の掃き込み状態を確認する際の邪魔になることがなく、清掃作業を円滑かつ確実に進めることができる。
【０００７】
清掃が終了して上記集塵箱を宙吊り状態に持ち上げると、該集塵箱の回動と共に上記蓋体が前方にスライドし、開口部を閉じる。上記蓋体の開閉時のスライドは、緩衝性の支持部材との摺動によって行われるため、摺動に伴う衝撃音が発生することがなく、蓋体の開閉は静かに行われる。
【０００８】
本発明の具体的な構成態様によれば、上記連結アームが二股状をしていて、集塵箱の両側面に基端を回動自在に連結されて先端が上記開口部の前面方向に延びる左右一対のサイド部片と、各サイド部片の先端から上記開口部の前面を横切る方向に延びて上記柄の先端に接続された取付部片とを有し、上記閉蓋位置と開蓋位置との間を回動自在であると共に、閉蓋位置では、上記取付部片が開口部の口縁の上記底辺寄りの位置に当接し、開蓋位置では、該取付部片が開口部の口縁の上記上辺寄りの位置に当接するように構成され、上記蓋体は、先端寄りの位置で上記連結アームの取付部片に連結され、閉蓋位置にあるときは、上記支持部材が該蓋体内面の後端部寄りの位置に当接し、開蓋位置にあるときは、上記支持部材が蓋体内面の上記取付部片との連結位置に近接する位置に当接するように構成されている。
【０００９】
本発明においては、上記連結アームの取付部片が、開口部の口縁に当接する部分に、軟質素材からなる緩衝部材を備えている。
【００１０】
本発明においてはまた、上記把手が、柄の上端から二股状に分岐する一対の支持部片と、これらの支持部片の先端同士を連結する握持用のグリップ部片とからなっていて、該グリップ部片の中央部に、フックに吊り欠けるための係合用凹部を有することが望ましい。
【００１１】
【発明の実施の形態】
図１〜図５は本発明に係る蓋付き塵取りの好ましい代表的な一実施形態を示すもので、この塵取りは、把手７を上端に備えた柄１と、該柄１の下端部に二股状の連結アーム２を介して回動自在に連結され、前面に塵芥掃き込み用の開口部４を備えた金属製あるいは硬質合成樹脂製の集塵箱３と、上記柄１と集塵箱３との回動に連動して上記開口部４をスライド式に開閉する金属製あるいは硬質合成樹脂製の蓋体５とを備えている。
【００１２】
上記集塵箱３は、平面視略矩形の箱形をなすもので、その形状は、後部側が僅かずつ徐々に細幅化しかつ低尺化していて、該集塵箱３の前面には、後端部側より縦横寸法の大きい矩形の上記開口部４が形成されている。この開口部４は、集塵箱３の前面を実質的に斜め前下がり状に傾斜させることにより、底辺４ａ側が上辺４ｂ側より前方に突出するように形成されている。そして、該開口部４の底辺４ａ、即ち集塵箱３の底壁３ａの先端縁には、塵芥を掃き込み易くするための合成樹脂製のヘラ１０が取り付けられ、集塵箱３の上面の上記開口部４の上辺４ｂに沿う位置には、上記蓋体５の内面に摺動自在に接触する支持部材１１が設けられている。この支持部材１１は、合成樹脂などの緩衝性素材により形成されたもので、先端部１１ａが上方に立ち上がっていて、この先端部１１ａが蓋体５の内面中央部に接触している。なお、上記支持部材１１は、開口部４の上辺４ｂの中央部に設けられているが、上辺全体に設けても良い。
【００１３】
また、上記連結アーム２は、金属製の棒材からなるもので、集塵箱３の両側面に基端部を回動自在なるように連結されて先端が上記開口部４の前面方向に延びる左右一対のサイド部片２ａ，２ａと、各サイド部片２ａ，２ａの先端から上記開口部４の前面を横断する方向に延びる取付部片２ｂとを有していて、この取付部片２ｂに上記柄１の先端が連結されると共に、蓋体５が回動自在なるように連結されている。この連結アーム２は、上記サイド部片２ａ，２ａの基端部を中心にして図３の閉蓋位置と図５の開蓋位置との間を回動自在であり、その閉蓋位置では、上記取付部片２ｂが開口部４の口縁の上記底辺４ａ寄りの位置に当接し、開蓋位置では、該取付部片２ｂが開口部４の口縁の上記上辺４ｂ寄りの位置に当接するようになっている。上記取付部片２ｂには、閉蓋位置と開蓋位置とで開口部４の口縁に衝突するときの衝撃音の発生を防止するため、少なくとも口縁と接触する部分に、ゴムや合成樹脂等の軟質素材からなる緩衝部材１２が取り付けられている。
【００１４】
なお、上記連結アーム２の取付部片２ｂは、一方のサイド部片２ａに連なる部分と他方のサイド部片２ａに連なる部分とに分かれていても良いが、それらは一体であっても良い。
【００１５】
上記蓋体５は、上記開口部４全体を覆う浅皿のような形をしていて、天壁部５ａと左右の側壁部５ｂ，５ｂと前壁部５ｃとを有し、上記両側壁部５ｂ，５ｂの先端寄りの位置に設けた軸受部１４に、上記連結アーム２の取付部片２ｂが回動自在に連結されている。そして、図３に示すように該蓋体５が閉蓋位置にあるときは、該蓋体５が開口部４全体を覆うと共に、上記支持部材１１が蓋体５における天壁部５ａの内面の後端部寄りの位置に当接し、図５に示すように開蓋位置へと回動すると、該蓋体５が集塵箱３の上部に載置した状態となって横向き姿勢をとるように構成されている。このとき上記支持部材１１は、蓋体５における天壁部５ａの内面の上記取付部片２ｂとの連結位置に近接する位置に当接する。
【００１６】
上記柄１の上端部に設けられた把手７は、該柄１の上端から二股状に分岐する一対の支持部片７ａ，７ａと、これらの支持部片７ａ，７ａの先端同士を連結する握持用のグリップ部片７ｂとからなっていて、該グリップ部片７ｂの内側中央部に、収納場所のフックに吊り欠けるための係合用凹部７ｃを有している。
【００１７】
上記構成を有する塵取りは、図１〜図３に示すように、柄１の把手７を持って上記集塵箱３を宙吊りにした状態では、連結アーム２及び蓋体５が共に閉蓋位置にあり、蓋体５は集塵箱３の開口部４全体を覆い、連結アーム２の取付部片２ｂは開口部４の口縁の底辺４ａ寄りの位置に当接している。また、上記支持部材１１は、蓋体５における天壁部５ａの内面の後端部寄りの位置に当接している。
【００１８】
この状態から、上記集塵箱３を地面に当てて横向きに接地させると、図４及び図５に順次示すように、柄１（即ち連結アーム２）に対する集塵箱３の回動と共に蓋体５が、上記支持部材１１に支持された状態で後方にスライドし、該支持部材１１を支点として徐々に横向き方向に姿勢を変えながら開口部４を開放していく。そして、該蓋体５が図５の開蓋位置に達すると、集塵箱３の上部に載置した状態で横向き姿勢となる。このとき、上記連結アーム２の取付部片２ｂは開口部４の口縁の上辺４ｂ寄りの位置に当接し、上記支持部材１１は、蓋体５における天壁部５ａの内面の上記取付部片２ｂとの連結位置に近接した位置に当接することになる。
【００１９】
なお、上記蓋体５における天壁部５ａの内面の、開蓋時に上記支持部材１１が当接する位置には、該支持部材１１が嵌合できる凹部１５を形成しておくこともでき、このような凹部１５の形成により、開蓋位置での蓋体５の姿勢をより安定させることができる。
【００２０】
この状態で上記開口部４を通じて塵芥を掃き込むことができるが、このとき上記蓋体５は、集塵箱３の上部に横向き姿勢で載置状態となっているため、該蓋体５が塵芥の掃き込み状態を確認する際の邪魔になることがなく、清掃作業を円滑かつ確実に進めることができる。
【００２１】
清掃が終了して上記集塵箱３を宙吊り状態に持ち上げると、図４及び図３に順次示すように、該集塵箱３の回動と共に上記蓋体５が、支持部材１１に支持されて前方にスライドし、開口部４を閉じる。上記蓋体５の開閉時のスライドは、緩衝性の支持部材１１との摺動によって行われるため、摺動に伴う衝撃音が発生することがなく、蓋体５の開閉は静かに行われる。
収納時に上記塵取りは、把手７のグリップ部片７ｂに形成された凹部７ｃをフックに吊り掛けることにより、物置などの片隅に吊り下げた状態で収納することができる。
【００２２】
【発明の効果】
以上に詳述したように、本発明の蓋付き塵取りは、蓋体の開放時に、該蓋体が大きく立ち上がって場所を取ったり、塵芥の掃き込み状態を確認する際の邪魔になることがなく、また、開閉時の衝撃音も発生しにくいという利点がある。
【図面の簡単な説明】
【図１】本発明に係る柄付き塵取りの好ましい一実施形態を示す不使用状態での正面図である。
【図２】図１の側面図である。
【図３】図２の要部を拡大して示す部分断面図である。
【図４】蓋体５の中間開放状態を示す図３と同様位置での部分断面図である。
【図５】蓋体５の開放状態を示す図３と同様位置での部分断面図である。
【符号の説明】
１　　　　柄
２　　　　連結アーム
２ａ　　　　サイド部片
２ｂ　　　　取付部片
３　　　　集塵箱
４　　　　開口部
４ａ　　　　底辺
４ｂ　　　　上辺
５　　　　蓋体
７　　　　把手
７ａ　　　　支持部片
７ｂ　　　　グリップ部片
７ｃ　　　　凹部
１１　　　　支持部材
１２　　　　緩衝部材
【図１】
2004065591.tif 000003
【図２】
2004065591.tif 000004
【図３】
2004065591.tif 000005
【図４】
2004065591.tif 000006
【図５】
2004065591.tif 000007